(57)【要約】ヒーターの出力電力を可変的に制御して、エネルギーの効率や信頼度を向上させることのできる乾燥機のヒーター制御装置及びその制御方法を提供する。それぞれ互いに異なる入力電圧が入力される多数個の入力端子と一つの出力端子を有し、スイッチング制御信号によって前記入力端子のうち何れか一つと前記出力端子とを連結する多数個のスイッチと、各スイッチの出力端子に連結され入力される入力電圧に従って温度が可変するヒーターとを含んで構成される。【選択図】図４
2004519305.tif 000002
【特許請求の範囲】
【請求項１】
それぞれ互いに異なる入力電圧が入力される多数個の入力端子と一つの出力端子を有し、スイッチング制御信号によって前記入力端子のうち何れか一つと前記出力端子とを連結する多数個のスイッチ；
前記各スイッチの出力端子に連結され、入力される入力電圧に従って温度が可変するヒーター；
を含んで構成されることを特徴とする乾燥機のヒーター制御装置。
【請求項２】
前記各スイッチに連結されたヒーターは並列に連結されることを特徴とする請求項１記載の乾燥機のヒーター制御装置。
【請求項３】
前記入力端子に入力される電圧は０ボルト、１２０ボルト、２４０ボルトのうち何れかであることを特徴とする請求項１記載の乾燥機のヒーター制御装置。
【請求項４】
乾燥物の乾燥温度の範囲に基づいて前記スイッチを制御する制御器を更に含むことを特徴とする請求項１記載の乾燥機のヒーター制御装置。
【請求項５】
それぞれ互いに異なる入力電圧が入力される多数個の入力端子と一つの出力端子を有し、スイッチング制御信号によって前記入力端子のうち何れか一つと前記出力端子とを連結する多数個のスイッチ；
前記各スイッチに一対一で対応するようにそれぞれ連結され、前記スイッチから入力される入力電圧に従って温度が可変する多数個のヒーターであって、第１端と第２端をそれぞれ有し、前記第１端は前記スイッチの出力端子に連結され、前記第２端は隣接した各ヒーターの第２端に互いに連結される多数個のヒーター；
前記スイッチの連結状態を制御する制御器であって、乾燥物の乾燥温度の範囲に基づいてヒーターの出力電力を設定し、前記ヒーターから供給される入力電圧を制御する制御器；
を含むことを特徴とする乾燥機のヒーター制御装置。
【請求項６】
前記ヒーターは互いに向き合うように配列されることを特徴とする請求項５記載の乾燥機のヒーター制御装置。
【請求項７】
前記各スイッチの入力端子は２つの入力端子から構成されることを特徴とする請求項５記載の乾燥機のヒーター制御装置。
【請求項８】
前記２つの入力端子に入力される入力電圧は互いに異なることを特徴とする請求項７記載の乾燥機のヒーター制御装置。
【請求項９】
前記入力端子に入力される電圧は０ボルト、１２０ボルト、２４０ボルトのうち何れかであることを特徴とする請求項８記載の乾燥機のヒーター制御装置。
【請求項１０】
それぞれ互いに異なる入力電圧が入力される第１，第２入力端子と一つの出力端子を有し、スイッチング制御信号によって前記第１，第２入力端子のうち何れか一つと前記出力端子とを連結する第１，第２スイッチ；
前記第１スイッチの出力端子に連結され、前記第１スイッチから入力される入力電圧に従って温度が可変する第１ヒーター；
前記第２スイッチの出力端子に連結され、前記第２スイッチから入力される入力電圧に従って温度が可変する第２ヒーター；
前記各ヒーターは第１端と第２端を有し、前記各ヒーターの第１端は前記スイッチの出力端子に連結され、前記各ヒーターの第２端は互いに共通に連結され、
前記第１，第２スイッチの連結状態を制御する制御器であって、乾燥物の乾燥温度の範囲に従って前記第１，第２ヒーターの出力電力を設定し、前記第１，第２ヒーターへ供給される入力電圧を制御する制御器；
を含むことを特徴とする乾燥機のヒーター制御装置。
【請求項１１】
前記第１ヒーターと第２ヒーターは互いに向き合うように配列されることを特徴とする請求項１０記載の乾燥機のヒーター制御装置。
【請求項１２】
前記第１入力端子に入力される電圧は２４０ボルトであり、前記第２入力端子に入力される電圧は１２０ボルトであることを特徴とする請求項１０記載の乾燥機のヒーター制御装置。
【請求項１３】
乾燥物の種類によるヒーターの温度範囲やそれによる前記ヒーターの出力電力を設定する工程；
前記乾燥する乾燥物の種類を選択する工程；
前記選択された乾燥物に当たるヒーターの出力電力値を認識する工程；
前記認識された出力電力値に基づいて前記ヒーターへ供給される入力電圧を調節する工程；
を備えて構成される乾燥機のヒーター制御方法。
【発明の詳細な説明】
【０００１】
（技術分野）
本発明はヒーター制御装置に関し、特に、乾燥機のヒーター制御装置及びその制御方法に関する。
【０００２】
（背景技術）
半導体技術と共に科学技術の発達は実生活にも大きな変化をもたらした。特に家電製品などにおける多様化やマルチ化が挙げられるが、例えば、インターネットが可能なテレビジョンや冷蔵庫、及び乾燥機能を備えた洗濯機などが開発され、商品化されている。このような変化と共に家電製品において消費者に大きな関心を引き起こせる部分がエネルギーの効率性である。即ち、エネルギーの効率性及び、内部の部品の信頼度に応じて製品の信頼度や製品性が評価されている。
【０００３】
更に、国が製品に対するエネルギー効率性の規定値を設定して置き、それ未満の製品に対しては販売を禁止していることも現状である。
【０００４】
従って、このようなエネルギーの効率性に従う規定値を通過してのみ製品の製造且つ販売が可能であり、また、ユーザー及び消費者の立場ではエネルギー効率性の高い製品を購買することによって製品に対する満足度を高めることができる。
【０００５】
ここで、本発明は乾燥機のヒーター制御においてエネルギーの効率や部品の信頼度を高めるためのものである。
【０００６】
以下、図１を参照して従来の乾燥機の動作過程について説明する。
【０００７】
図１には一般的な乾燥機の構成が示されている。これによれば、乾燥機の外観をアウトケース１が形成する。そして、前記乾燥機の前面を形成するように全面プレート３がアウトケース１の先端に連結して設置される。
【０００８】
前記アウトケース１の内部には濡れた洗濯物が内部に投入され、乾燥が行われるドラム５が回転可能なように設けられている。前記ドラム５の内面には多数個の攪拌翼６が備えられており、その攪拌翼６はドラム５の回転時に洗濯物を混ぜる役割を果たす。このようなドラム５はその外面を囲んであるドラム駆動ベルト７により回転する。ここで、前記ドラム駆動ベルト７は別途の駆動源により駆動する。
【０００９】
一方、前記ドラム５の内部を外部と選択的に連通させるドア８が前記ドラム５の先端に対応する前記全面プレート３を貫通して設けられる。そして、前記全面プレート３の内面に当たり、前記ドラム５の内部に向いて開口するように排気口１０が形成される。前記排気口１０は前記ドラム５内部の空気をドラム５の外部に排気させる役割をするもので、その入口には前記空気に混ぜられている異物を除去するためのフィルター１２が設けられる。
【００１０】
前記排気口１０と連結されるように前記全面プレート３の内側には排気流路１３が形成されている。そして、前記排気流路１３と連通するようにブローア組立体１５が設けられる。前記ブローア組立体１５には前記排気流路１３を介して出た空気を乾燥機の外部に排出する排気ダクト１７が連結されている。
【００１１】
一方、前記アウトケース１の内部のうち前記ドラム５の下部に当たる部分には、前記ドラム５の内部に空気を供給する供給ダクト１８が設けられる。前記供給ダクト１８は前記ドラム５の後方を通して前記ドラム５の内部に空気を供給する。このような供給ダクト１８の一側にはヒーター１９が設けられている。
【００１２】
この様な構成を有する従来の乾燥機において乾燥が行われる過程を説明する。
【００１３】
まず、前記ドア８を開放してドラム５の内部に乾燥させるための洗濯物を投入する。次いで、ドア８を閉めた後、乾燥動作信号を入力すると、駆動源によって前記ドラム５が回転を行う。そして、前記ブローア組立体１５が動作して、前記排気ダクト１７に前記ドラム５内の空気が排出される。
【００１４】
前記ドラム５内部の空気が排出されると、前記供給ダクト１８を介して前記ドラム５の内部に外部の空気が吸入されるが、前記供給ダクト１８の入口にあるヒーター１９の発熱によって前記空気は加熱され、所定の温度になって前記ドラム５の内部に供給される。
【００１５】
前記ドラム５の内部に供給された空気は洗濯物の水分を吸水し、前記ブローア組立体１５の駆動によって前記排気口１０を介して前記排気流路１３に流動する。そして、前記排気流路１３で前記ブローア組立体１５を介して排気ダクト１７を経て外部に排出される。
【００１６】
この際、前記排気口１０を通過する空気は前記フィルター１２により浄化され、空気に混ぜられている異物質（例えば、洗濯物の抜糸や毛羽など）が前記ブローア組立体１５へ伝達されないようにする役割を果たす。
【００１７】
次は、図２を参照して従来の乾燥機のヒーター制御過程について説明する。
【００１８】
図２は従来の乾燥機のヒーター制御の構成図である。
【００１９】
従来の乾燥機のヒーター制御の構成は、図示したように、前記ドラム５の内部に設けられて前記ドラム５内部の温度を検出するサミスター２４と、前記サミスター２４の検出温度を入力して、乾燥機の乾燥動作に伴う一連の動作を制御するコントローラ２０を含む。前記コントローラ２０は外部から製品の内部に電圧を入力する第１端子（Ｌ１）と第２端子（Ｎ）に連結されている。
【００２０】
前記第１端子（Ｌ１）と第２端子（Ｎ）に連結されているコントローラー２０は約１２０ボルトの電圧を駆動電圧で印加される。
【００２１】
そして、従来の乾燥機は前記コントローラー２０の制御下にオン／オフ動作するヒーター１９を備え、前記ヒーター１９は外部から製品の内部に電圧を入力する第１端子（Ｌ１）と第３端子（Ｌ２）との間に連結される。
【００２２】
この際、ヒーター１９は前記第１端子（Ｌ１）と第３端子（Ｌ２）との連結によって約２４０ボルトの電圧を供給される。そして、前記ヒーター１９の過熱を防止するために、一定の温度以上で自動にオフ状態に切り換えられるサーモスタット２６が前記ヒーター１９と直列に連結される。
【００２３】
次に、上記構成からなる従来の乾燥機のヒーター制御過程について説明する。
【００２４】
図３は生地の種類による温度の特性図を示す。
【００２５】
即ち、図３は乾燥動作時に生地の種類によってドラム５内部の温度を相異なるように制御することを意味する。一例として、綿製品の場合には所定の温度（Ｔ１）程度で制御し、ニット類の場合には綿製品より低い所定の温度（Ｔ３）程度でドラム５内部の温度を調節する必要がある。
【００２６】
従って、コントローラ２０は乾燥動作の制御に先立って、ドラム５の内部に投入された洗濯物の制御温度をまず認識する。これは、ユーザーが生地の種類を選択するか、又は、洗濯機から生地の種類に対する情報を受けると、それによる適宜の温度の範囲が前記コントローラ２０に設定される。
【００２７】
その後、ヒーター１９のオン動作によって乾燥動作が始まると、前記コントローラ２０はサミスター２４を介してドラム５内部の温度を認識する。
【００２８】
そして、ドラム５内部の温度が設定した温度の範囲に達するまで前記ヒーター１９をオンさせ、ドラム５内部の温度が設定した温度の範囲に到達すると、前記ヒーター１９をオフさせる。
【００２９】
このようなヒーター１９の反復的なオン／オフ動作の制御により、前記コントローラ２０はドラム５内部の温度が設定した温度範囲を維持するように制御する。
【００３０】
しかしながら、従来の乾燥機のヒーター制御装置は次のような問題点を有する。
【００３１】
第一に、従来の乾燥機のヒーター１９は、外部から製品の内部に電圧を入力する第１端子（Ｌ１）と第３端子（Ｌ２）との間に連結され、常に約２４０ボルトの電圧を供給されて、一定の電力を発生させるように制御されている。
【００３２】
従って、従来の乾燥機におけるヒーター１９の制御は、サミスター２４の検出温度と設定した温度の範囲に従ってコントローラ２０でヒーター１９のオン／オフを制御する方式であった。即ち、ヒーターの頻繁なオン／オフ制御によってエネルギーの効率性が落ちるという不具合があった。
【００３３】
第二に、従来におけるヒーターの制御は、一定の出力電力を有するヒーターをオン／オフ制御する方式であったため、低温を維持したい場合においてはヒーターのオン／オフ制御動作が更に頻繁に行われるしかない。これはヒーター及びヒーターの制御のためのスイッチング素子の部品性を低下させて信頼度を落とすような問題を引き起こした。
（本発明の開示）
さらに、本発明は、関連分野の限界および欠点により生じる１つ以上の問題を実質的に回避する乾燥機のヒーターを制御する方法およびその装置に関する。
そこで、本発明の目的は、ヒーターの出力電力を可変的に制御して、エネルギーの効率や信頼度を向上させることのできる乾燥機のヒーター制御装置及びその制御方法を提供することにある。
【００３４】
上記目的を達成するために、本発明はそれぞれ互いに異なる入力電圧が入力される多数個の入力端子と一つの出力端子を有し、スイッチング制御信号によって前記入力端子のうち何れか一つと前記出力端子とを連結する多数個のスイッチと、各スイッチの出力端子に連結され入力される入力電圧に従って温度が可変するヒーターとを含んで構成される。
【００３５】
本発明のさらなる特徴および利点は、以下の説明において説明されており、部分的に上述の説明から明らかであるか、または、本発明を実行することによって理解される。本発明の目的および他の利点は、発明の詳細な説明、特許請求の範囲および添付図面にて特に指摘された構造によって実現され、達成される。
【００３６】
また、本発明はそれぞれ互いに異なる入力電圧が入力される多数個の入力端子と一つの出力端子を有し、スイッチング制御信号によって前記入力端子のうち何れか一つと前記出力端子とを連結する多数個のスイッチと、各スイッチに一対一に対応するように連結され、前記スイッチから入力される入力電圧に従って温度が可変する多数個のヒーターと、各ヒーターは第１端と第２端を有し、第１端は前記スイッチの出力端子に連結され、第２端は隣接した各ヒーターの第２端と互いに連結され、スイッチの連結状態を制御する制御器と、制御器は乾燥物の乾燥温度の範囲に基づいてヒーターの出力電力を設定し、ヒーターから供給される入力電圧を制御することを含んで構成される。
【００３７】
ここで、ヒーターは互いに向き合うように配列されることもでき、各スイッチの入力端子は２つの入力端子から構成される。
【００３８】
本発明の望ましいまた他の実施形態として、それぞれ互いに異なる入力電圧が入力される第１，第２入力端子と一つの出力端子を有し、スイッチング制御信号によって前記第１，第２入力端子のうち何れか一つと前記出力端子とを連結する第１，第２スイッチと、第１スイッチの出力端子に連結され、前記第１スイッチから入力される入力電圧に従って温度が可変する第１ヒーターと、
第２スイッチの出力端子に連結され、前記第２スイッチから入力される入力電圧に従って温度が可変する第２ヒーターと、各ヒーターは第１端と第２端を有し、前記各ヒーターの第１端は前記スイッチの出力端子に連結され、前記各ヒーターの第２端は互いに共通に連結され、第１，第２スイッチの連結状態を制御する制御器と、制御器は乾燥物の乾燥温度の範囲に従って前記第１，第２ヒーターの出力電力を設定し、前記第１，第２ヒーターへ供給される入力電圧を制御することを含んで構成される。
【００３９】
ここで、第１入力端子に入力される電圧は２４０ボルトであり、前記第２入力端子に入力される電圧は１２０ボルトである。
【００４０】
そして、本発明による乾燥機のヒーター制御方法は、乾燥物の種類によるヒーターの温度範囲やそれによる前記ヒーターの出力電力を設定する工程と、乾燥する乾燥物の種類を選択する工程と、選択された乾燥物に当たるヒーターの出力電力値を認識する工程と、認識された出力電力値に基づいて前記ヒーターへ供給される入力電圧を調節する工程とを備えて構成される。
【００４１】
上述した本発明はヒーターの入力電圧を可変的に制御して、温度の範囲に従うヒーターの出力電力を可変に制御できるので、従来のように低温度の範囲でヒーターの頻繁なオン／オフ動作を防止することが可能であり、ヒーター及びスイッチング素子の部品の信頼度が高められるという利点がある。
【００４２】
上述された全体的な説明および以下の詳細な説明は、例示であり、特許請求の範囲に記載された発明のさらなる説明を提供する。
【００４３】
（本発明を実行する最良の形態）
ここで、添付図面に例示された本発明の一例である本発明の好適な実施の形態が参照される。本発明の同一の構造においては、同一の用語および参照番号が用いられ、いくつかの補充的な説明は、単純化のために省略されている。
【００４４】
図４は本発明による乾燥機のヒーター制御装置の構成図である。そして、必要な乾燥機の構成は図１を参照して説明する。
【００４５】
本発明による乾燥機のヒーター制御装置は、２つのヒーター１９ａ，１９ｂを並列に連結している。前記並列に連結された２つのヒーター１９ａ，１９ｂの出力電力を制御して乾燥動作が制御される。
【００４６】
前記ヒーター１９ａの一側は外部から製品の内部に電圧を入力する第３端子Ｌ２に連結される。そして、前記ヒーター１９ａの他の側は外部から製品の内部に電圧を入力する第１端子Ｌ１と第２端子Ｎとを選択的に連結可能なリレー３０に連結されている。従って、前記ヒーター１９ａは前記リレー３０を介して第１端子Ｌ１と第３端子Ｌ２との間に連結されることができ、逆に前記ヒーター１９ａは前記リレー３０を介して第２端子Ｎと第３端子Ｌ２との間に連結されることができる。
【００４７】
また他のヒーター１９ｂも前記ヒーター１９ａと同様な構造からなっている。
【００４８】
即ち、前記ヒーター１９ｂの一側部は外部から製品の内部に電圧を入力する第３端子Ｌ２に連結される。そして、前記ヒーター１９ｂの他の側部は外部から製品の内部に電圧を入力する第１端子Ｌ１と第２端子Ｎとを選択的に連結可能なリレー３２に連結されている。従って、前記ヒーター１９ｂは前記リレー３２を介して第１端子Ｌ１と第３端子Ｌ２との間に連結されることができ、逆に前記ヒーター１９ｂは前記リレー３２を介して第２端子Ｎと第３端子Ｌ２との間に連結されることができる。
そして、前記リレー３０，３２の動作の制御はコントローラ２０ａにより行われる。前記コントローラ２０ａは生地の種類によって温度制御の範囲を設定し、その設定された範囲に従ってヒーターの出力電圧が印加されるように前記リレー３０，３２の動作を制御する。
前記コントローラ２０ａの温度制御の範囲に従うリレー３０，３２の動作制御は、図５に示すように行われる。即ち、高温度の範囲で温度の制御が行われるべきである場合、２つのヒーター１９ａ，１９ｂは高出力の制御が行われる。反面、低温度の範囲で温度の制御が行われるべき場合は、２つのヒーター１９ａ，１９ｂは低出力の制御が行われる。
【００４９】
従って、前記コントローラ２０ａは、図５に示すような温度制御の範囲に従うヒーターの出力制御のための値を既設定して置く。このように、２つのヒーター１９ａ，１９ｂの出力電力の制御が可能であるのは入力電圧が０ボルト、１２０ボルト、２４０ボルトの３工程からなっているためである。
【００５０】
次は、上記構成からなる本発明による乾燥機のヒーター制御装置及びその制御方法の過程について説明する。
【００５１】
ユーザーがドア８を開放してドラム５の内部に乾燥のための洗濯物を投入する。ユーザーがドア８を閉めた後乾燥動作の信号を入力すると、コントローラ２０ａで乾燥動作の信号を認識する。その後、前記コントローラ２０ａの制御によって駆動源が動作し、前記ドラム５が回転を行う。そして、前記ブローア組立体１５が動作して、前記排気ダクト１７に前記ドラム５内の空気が排出される。
【００５２】
一方、前記コントローラ２０ａはユーザーが選択した生地の種類、又は洗濯機から生地の種類に対して入力した情報に基づいて乾燥動作による温度の範囲を設定する。この際、高温度の範囲で動作可能な生地の種類である場合には２つのヒーター１９ａ，１９ｂの出力電力を高く調節する。反面、低温度の範囲で乾燥動作が必要な生地である場合にはヒーターの出力電力を低く調節する。
【００５３】
このように設定された温度の範囲内で乾燥動作が行われ得るように、前記コントローラ２０ａは２つのリレー３０，３２のスイッチング動作を制御して、２つのヒーター１９ａ，１９ｂが発熱されるようにする。
【００５４】
この際、前記ドラム５内部の空気が排出されつつ前記供給ダクト１８を介して前記ドラム５の内部に外部の空気が吸入され、前記供給ダクト１８の入口にあるヒーター１９ａ，１９ｂの発熱によって前記空気は加熱され、所定の温度になって前記ドラム５の内部に供給される。
【００５５】
前記ドラム５の内部に供給された空気は洗濯物の水分を吸水し、前記ブローア組立体１５の駆動によって前記排気口１０を介して前記排気流路１３に流動する。そして、前記排気流路１３で前記ブローア組立体１５を介して排気ダクト１７を経て外部に排出される。
【００５６】
このような空気の循環動作によってドラム５内部の洗濯物は乾燥する。
【００５７】
次は前記２つのヒーター１９ａ，１９ｂに供給される電圧の制御過程について説明する。
【００５８】
まず、図４に示すように、外部から製品又は家庭の内部に入力される単相３線式結線の場合、電圧を入力する端子は全部で３つが備えられる。即ち、第１端子Ｌ１と第２端子Ｎ、第３端子Ｌ２がある。前記３つの端子は互いに連結されることで互いに異なる大きさの電圧を発生させるようになっている。
【００５９】
第１端子Ｌ１と第２端子Ｎとが連結される場合には約１２０ボルトの電圧が発生する。そして、第２端子Ｌ１と第３端子Ｌ２とが連結される場合にも約１２０ボルトの電圧が発生する。第１端子Ｌ１と第３端子Ｌ２とが連結される場合には約２４０ボルトの電圧が発生する。
【００６０】
このような電圧の制御方式は現在アメリカで使用されている。即ち、低出力の製品では約１２０ボルトの電圧が用いられ、高出力の製品では約２４０ボルトの電圧が使用されるようにしているのである。
【００６１】
従って、本発明ではこのように相異なった種類の入力電圧を用いてヒーターの出力を可変制御する。仮に、入力電圧が一定した場合には入力電圧を変圧させる構成を更に備えてヒーターの入力電圧を異なるように調整することもできる。
【００６２】
即ち、リレー３０又はリレー３２は、コントローラ２０ａの制御によって第１端子Ｌ１又は第２端子Ｎを選択するように構成されている。また、第３端子Ｌ２は共通してヒーター１９ａ，１９ｂの片側に連結されている。従って、前記リレー３０，３２の選択動作に従って２つのヒーター１９ａ，１９ｂは１２０ボルトの電圧を入力することができ、２４０ボルトの電圧を入力することもできる。
【００６３】
前記コントローラ２０ａがリレー３０，リレー３２を第１端子Ｌ１に連結すると、２つのヒーター１９ａ，１９ｂは共に第１端子Ｌ１と第３端子Ｌ２との間に連結される。従って、前記２つのヒーター１９ａ，１９ｂは共に２４０ボルトの電圧を供給されて駆動する。
【００６４】
前記コントローラ２０ａがリレー３０を第１端子Ｌ１に連結し、リレー３２を第２端子Ｎに連結すると、ヒーター１９ａは２４０ボルトを入力し、ヒーター１９ｂは１２０ボルトを入力されて駆動する。反面、前記コントローラ２０ａがリレー３０を第２端子Ｎに連結し、リレー３２を第１端子Ｌ１に連結すると、ヒーター１９ａは１２０ボルトを入力し、ヒーター１９ｂは２４０ボルトを入力されて駆動する。
【００６５】
前記コントローラ２０ａがリレー３０，３２を共に第２端子Ｎに連結すると、２つのヒーター１９ａ，１９ｂは共に第２端子Ｎと第３端子Ｌ２との間に連結される。従って、前記２つのヒーター１９ａ，１９ｂは共に１２０ボルトの電圧を供給されて駆動する。
【００６６】
前記コントローラ２０ａがリレー３０を第１端子Ｌ１に連結し、リレー３２をオフ状態に制御すると、ヒーター１９ａは第１端子Ｌ１と第３端子Ｌ３との間に連結される。従って、前記ヒーター１９ａは２４０ボルトによって駆動する。しかし、ヒーター１９ｂはオフ状態になる。
【００６７】
反面、前記コントローラ２０ａがリレー３０をオフ状態に制御し、リレー３２を第１端子Ｌ１に連結すると、上記の場合と逆にヒーター１９ａはオフ状態になるが、ヒーター１９ｂは２４０ボルトの駆動電圧を入力する。
【００６８】
また、前記コントローラ２０ａがリレー３０を第２端子Ｎに連結し、リレー３２をオフ状態に制御すると、ヒーター１９ａは１２０ボルトの駆動電圧を入力するが、ヒーター１９ｂはオフ状態になる。反面、前記コントローラ２０ａがリレー３０をオフ状態に制御し、リレー３２を第２端子Ｎに連結すると、ヒーター１９ａはオフ状態になるが、ヒーター１９ｂは１２０ボルトの駆動電圧を入力する。
【００６９】
そして、前記コントローラ２０ａが２つのリレー３０，３２を共にオフ状態に制御すると、２つのヒーター１９ａ，１９ｂは共にオフ状態に制御される。
【００７０】
このように本発明は生地の種類によって乾燥動作時の温度制御範囲を既設定する。そして、設定した温度制御の範囲に従うヒーターの出力電力を既設定する。その後、乾燥動作が始まると、設定した温度の範囲に従って適切なヒーターの出力電力を選択する。
【００７１】
以上で説明したように、本発明による乾燥機のヒーター制御装置及びその制御方法は次のような効果が得られる。
【００７２】
ヒーターの入力電圧は、可変的に制御され得、これにより設定した温度の範囲に従ってヒーターの出力電圧が可変的に制御され得る。
【００７３】
第一に、ヒーターの入力電圧を可変的に制御して、温度範囲に従うヒーターの出力電力を可変制御することが可能である。従って、従来のように低温度の範囲でヒーターの頻繁なオン／オフ動作を防止することが可能であり、ヒーター及びスイッチング素子の部品の信頼度を高められるという利点がある。
【００７４】
第二に、ヒーターの頻繁なオン／オフ動作無しに温度範囲に従うヒーターの出力電力を可変制御できるので、エネルギー効率の向上を図ることができる。
【００７５】
第三に、このような点と共に製品に対する信頼度や製品性が高められるような効果も期待できる。
【００７６】
本発明は、本明細書において、好適な実施形態を参照しながら説明されているが、本発明の範囲を逸脱することなく、様々な変更および改変が行われ得ることは当業者に明らかである。したがって、本発明は、特許請求の範囲およびそれと均等な範囲内にて行われる本発明の変更および改変を含む。
【図面の簡単な説明】
【図１】
図１は、一般的な乾燥機の構成図である。
【図２】
図２は、従来の乾燥機のヒーター制御の構成図である。
【図３】
図３は、生地による温度の特性図である。
【図４】
図４は、本発明による乾燥機のヒーター制御の構成図である。
【図５】
図５は、本発明のヒーター制御表である。
【図２】
2004519305.tif 000003
【図３】
2004519305.tif 000004
【図４】
2004519305.tif 000005
【図５】
2004519305.tif 000006
【国際公開パンフレット】
2004519305.tif 000007
2004519305.tif 000008
2004519305.tif 000009
2004519305.tif 000010
2004519305.tif 000011
2004519305.tif 000012
2004519305.tif 000013
2004519305.tif 000014
2004519305.tif 000015
2004519305.tif 000016
2004519305.tif 000017
2004519305.tif 000018
2004519305.tif 000019
2004519305.tif 000020
2004519305.tif 000021
2004519305.tif 000022
2004519305.tif 000023
2004519305.tif 000024
2004519305.tif 000025
2004519305.tif 000026
2004519305.tif 000027
2004519305.tif 000028
2004519305.tif 000029
2004519305.tif 000030
2004519305.tif 000031
2004519305.tif 000032
2004519305.tif 000033
2004519305.tif 000034
2004519305.tif 000035
【国際調査報告】
2004519305.tif 000036